(57)【特許請求の範囲】
【請求項１】
左前身頃部と左後身頃部と右後身頃部と右前身頃部とを有する和服であって、当該左後身頃部および当該右後身頃部に和服を着た際の略腰部におはしょり形成部を設け、
前記左前身頃部と前記左後身頃部と前記右後身頃部と前記右前身頃部の略腰部に裾のラインと略平行となるようにおはしょり位置決め部を設け、
前記左前身頃部と前記右前身頃部は縫着を行わずに当該おはしょり位置決め部を設けただけで、和服の生地は開放されている状態であること、
を特徴とする和服。
【請求項２】
前記おはしょり位置決め部が糸でステッチを形成する方法により設けたことを特徴とする請求項１に記載の和服。
【請求項３】
前記左前身頃部と左後身頃部と右後身頃部のおはしょり位置決め部、または、前記左後身頃部と右後身頃部と右前身頃部のおはしょり位置決め部、に沿ってベルト状部材を形成することを特徴とする請求項１又は２に記載の和服。
【請求項４】
少なくとも２以上の結合部材を前記おはしょり形成部の長手方向のいずれかの箇所に設けることを特徴とする請求項１から３のいずれか１項に記載の和服。
【請求項５】
前記ベルト状部材の前記右前身頃部の衿側の端部に第１の結合第１部材と当該ベルト状部材の他方端部に第１の結合第２部材を設け、前記おはしょり形成部の前記左前身頃部の衿側の端部に第２の結合第１部材を設け、前記ベルト状部材の前記右前身頃部と前記右後身頃部との略境部に第２の結合第２部材を設けること、を特徴とする請求項３に記載の和服。
【請求項６】
前記結合部材が、フック部とフック保持部からなることを特徴とする請求項４に記載の和服。
【請求項７】
前記おはしょり形成部は、前記左後身頃部および前記右後身頃部の和服の略中央部を外側にたたんだ箇所が現れるように折りたたみ、当該左後身頃部および当該右後身頃部の内側を当該状態のまま縫着することによって形成することを特徴とする請求項１から６に記載のいずれか１項に記載の和服。
【請求項８】
和服の左前身頃部と左後身頃部と右後身頃部と右前身頃部の略腰部に裾のラインと略平行となるようにおはしょり位置決め部を設ける工程と、
当該左後身頃部および右後身頃部に和服を着た際の略中央部を外側にたたんだ箇所が現れるように折りたたみ当該左後身頃部および当該右後身頃部の内側を当該状態のまま縫着することによって形成することによりおはしょり形成部を設ける工程と
前記左前身頃部と前記左後身頃部と前記右後身頃部と前記右前身頃部の略腰部に裾のラインと略平行となるようにおはしょり位置決め部を設ける工程と、
前記左前身頃部と前記右前身頃部は縫着を行わずに当該おはしょり位置決め部を設けただけで、着物の生地は開放されている状態とする工程と、
を備える、和服の製造方法。
【発明の詳細な説明】
【技術分野】
【０００１】
本技術の開示は、和服およびその製造方法に関する。
【背景技術】
【０００２】
和服として一般的な着物は、訪問着や振袖などの着物が挙げられ、また浴衣も代表的な着物の一つとして挙げられる。これらの着物は日本の伝統的な民族衣装であり、その美しい着姿から格式的な場所に限定することなく、日常的に着物を着たいという要望も多く存在する。また、日本のみならず海外でも着物に興味を持つ人が多く、実際に着物を着用するために日本へ訪問する外国人もめずらしくはない。しかしながら、着物を美しく着るためには、おはしょりの処理や襟抜きなど、着用時の各段階において高度な知識と技術が必要となり、着物を着用したくても着付けが課題となり、その敷居の高さから断念せざるを得ない状況に陥ってしまう。その結果として、日本の伝統的な着物から疎遠となってしまい、日本の文化を衰退させてしまう要因のひとつとなっている。
【０００３】
このような背景から、簡単に着ることができる着物が開発されており、その代表的なものとして二部式着物（上半身と下半身のセパレートタイプ）がある。しかし、このような着物は、簡単に着ることができるといった良い点はあるものの、その多くはおはしょりを設けず、場合によっては、帯まで省略する場合もあり得る。この様な着物は簡単に着ることができるものの、本格的な美しい着物本来の着姿を実現に難いだけではなく、着物生地を切断して作成するものであるため高価な呉服生地を切断することに抵抗感もあった。
【０００４】
また、おはしょりを事前に形成して簡単に着ることができる着物として、いくつかの技術も開示されている。例えば、特許文献１には、おはしょりが湾曲縫製され、着用したときに水平になるように身巾に沿って湾曲し前側が下がるように形成されている別体のおはしょりを有する旨が開示されている。また、特許文献２には、別途形成したおはしょりを後ろ身頃へは座高に合わせて決定した位置に水平に、脇から前身頃へは肩の形状に合わせた下り傾斜角度で取り付ける旨が記載されている。
【先行技術文献】
【特許文献】
【０００５】
【特許文献１】特開平４−５７９０６
【特許文献２】特開２００７−７７５５３
【発明の概要】
【発明が解決しようとする課題】
【０００６】
しかしながら、上記従来技術では簡単に着物等を着ることができるものの、一般的な簡易着物と同様に美しく着こなすことが難しく、全体的に本格的な着物と同様の着姿を実現し難いという場合もある。その解決策の一つとしておはしょりを綺麗に形成することが挙げられ、そのための様々な手法がこれまで提案されてきたが、簡単に着られてかつ美しい着姿を実現でき、１枚の着物から製造できる和服は実現が困難なものであった。
【０００７】
以上のような課題を解決するべく、本発明は誰でも簡単に容易な作業で、一人でも本格的な着物と同様に、おはしょりも設けて美しく着ることができる簡単着物を提供することを目的とする。さらには、着物生地を裁断することなく簡単着物を製造することを目的とする。
【課題を解決するための手段】
【０００８】
すなわち本発明は、（１）〜（９）である。
（１）左前身頃部と左後身頃部と右後身頃部と右前身頃部とを有する和服であって、当該左後身頃部および右後身頃部に和服を着た際の略腰部におはしょり形成部を設け、前記左前身頃部と右前身頃部にはおはしょり形成部を設けないこと、を特徴とする和服。
（２）左前身頃部と左後身頃部と右後身頃部と右前身頃部の略腰部に裾のラインと略平行となるようにおはしょり位置決め部を設けることを特徴とする前記（１）に記載の和服。
（３）前記おはしょり位置決め部が糸でステッチを形成する方法により設けたことを特徴とする前記（２）に記載の和服。
（４）前記左前身頃部と左後身頃部と右後身頃部のおはしょり位置決め部、または、左後身頃部と右後身頃部と右前身頃部のおはしょり位置決め部、に沿ってベルト状部材を形成することを特徴とする前記（１）〜（３）に記載の和服。
（５）少なくとも２以上の結合部材を前記おはしょり形成部の長手方向のいずれかの箇所に設けることを特徴とする前記（１）〜（４）に記載の和服。
（６）前記ベルト状部材の前記右前身頃の衿側の端部に第１の結合第１部材と当該ベルト状部材の他方端部に第１の結合第２部材を設け、前記おはしょり形成部の前記左前身頃の例側の端部に第２の結合第１部材を設け、
前記ベルト状部材の前記右前身頃と前記右後身頃との略境部に第２の結合第２部材を設けること、を特徴とする前記（５）に記載の和服。
（７）前記結合部材が、フック部とフック保持部からなることを特徴とする前記（５）または（６）に記載の和服。
（８）前記おはしょり形成部は、左後身頃部および右後身頃部の和服の略中央部を外側にたたんだ箇所が現れるように折りたたみ、当該左後身頃部および右後身頃部の内側を当該状態のまま縫着することによって形成することを特徴とする前記（１）〜（８）に記載の和服。
（９）和服の左前身頃部と左後身頃部と右後身頃部と右前身頃部の略腰部に裾のラインと略平行となるようにおはしょり位置決め部を設ける工程と、当該左後身頃部および右後身頃部に和服を着た際の略中央部を外側にたたんだ箇所が現れるように折りたたみ当該左後身頃部および右後身頃部の内側を当該状態のまま縫着することによって形成することによりおはしょり形成部を設ける工程とを備える、和服の製造方法。
【発明の効果】
【０００９】
本発明により、従来の簡易着物と比べてより簡単に着物や浴衣などの和服を着ることが可能となり、着物本来の美しい着姿まで実現することが可能となる。また、体形等の影響を受け難く、より美しいおはしょりの見栄えを実現することが可能となる。さらには、本発明の和服は着物生地を裁断することがないため、家族代々引き継がれている思い入れのある着物等にも再加工して簡単着物として利用することが可能となるばかりではなく、古着のリユースとしても有用なものとなる。
【図面の簡単な説明】
【００１０】
【図１】本実施形態の着物の全体を外側から見た図である。
【図２】本実施形態の着物のおはしょりを形成する個所を内側から見た図である。
【図３】本実施形態のベルト状部材の取付状態を示す図である。
【図４】本実施形態の着物の着付け方を説明した図である。
【図５】本実施形態の着物を着付けた状態を示す図である。
【発明を実施するための形態】
【００１１】
本発明の実施形態の着物の全体を外側からみた形態を図１（ａ）に示す。着物１には、おはしょり形成部２を設ける。また、当該着物１にはベルト状部材３を備える。さらに、その他共衿や袖等の一般的な着物を構成するものも備える。また、図１（ｂ）は予め着物の略中央部に端から端までおはしょり位置決め部４を設けた状態を示す図である。
【００１２】
図２は本実施形態の着物のおはしょりを形成する個所を内側から見た形態を示すものである。当該おはしょり形成部２は、着物１の生地を後述する特殊な加工により形成する。
【００１３】
本実施形態のおはしょり形成部２の形状について以下に説明する。まず初めに、図１（ｂ）に示すように着物を着た際の略腰部に、裾のラインと略平行となるように横方向におはしょり位置決め部４を設ける。なお、当該おはしょり位置決め部４の方法は本実施形態では糸でステッチ（コバステッチ）を形成する方法で行ったが、この方法に限定されるものではなく、接着剤で固定する方法や超音波等により熱溶着させるような素材で固定する方法など、コバステッチと同等位置決めの効果を得られるものであれば使用できる。当該おはしょり位置決め部４を着物に予め設けておくことにより、おはしょり形成部２をより容易に作成することができ、着物を着る際におはしょりを綺麗に形成することが可能となる。さらに、オーダーメイドで本実施形態の着物を製造する際には、流行や年齢等に併せておはしょり位置決め部４の位置を上下に調整することも可能である。
【００１４】
次に、図１（ａ）に示すように、本実施形態の和服は、大きくは左前身頃部２ａ、左後身頃部２ｂ、右後身頃部２ｃ、右前身頃部２ｄの４つの部位で構成される。本実施形態において、おはしょり形成部２を着物１に設ける際には、そのうちの左後身頃部２ｂ、右後身頃部２ｃの２つの部位を使用して、着物を着た際におはしょり５を形成することになるおはしょり形成部２を事前に設ける。具体的には、左後身頃部２ｂ、右後身頃部２ｃの略中央部を着物の外側にたたんだ箇所が現れるように（山折り）折りたたみ、各身頃部の内側を当該状態のまま縫着することによっておはしょり形成部２を形成する（図２）。おはしょり形成部２の大きさ（縦方向の長さ）としては、特に限定するものではなく、着物の着丈に併せて、名古屋帯や半幅帯にも合うように適宜妥当な長さとする。なお、本実施形態においては、左前身頃部２ａと右前身頃部２ｄについては、縫着を行わずに前述のおはしょり位置決め部４を設けただけで、着物の生地は開放されている状態となる。
【００１５】
図３は本実施形態のベルト状部材３を着物１に取り付けた状態を示したものである。本実施形態においてベルト状部材３は伸縮性を有する素材で構成する。当該ベルト状部材３は右前身頃部２ｄから左後身頃部２ｂにかけて、前述の着物に設けたおはしょり位置決め部４に沿って縫着させる。なお、右前身頃部２ｄに形成された衿先部６までベルト状部材３を縫着させる。この際に、右前身頃部２ｄについては着物の表面にベルト状部材３が現れており、右後身頃部２ｃと左後身頃部２ｂについては前述のおはしょり形成部２の下側にベルト状部材３が隠れた状態で形成される。これは、おはしょり形成部２を形成するまえに、右前身頃部２ｄから左後身頃部２ｂにかけて前述のおはしょり位置決め部４に沿ってベルト状部材３を着物１に縫着し、その後におはしょり形成部２を設けるため、この様な形状となる。なお、本実施形態ではベルト状部材３の長手方向の上端部が前記おはしょり位置決め部４に沿う状態で縫着させる。
【００１６】
本願発明の着物には、少なくとも２以上の結合部材を設ける。当該結合部は１つにつき２つの部材からなり、それらを結合することにより固定するものである。当該各結合部は結合第１部材と結合第２部材を有し、これら２つの部材はお互いを結合できるものであれば特に限定はないが、一方がフック部材や面ファスナーのフック状に起毛された側やホックの凸部を有する側等を用い、他方がフック部材をひっかけられる部材や面ファスナーのループ状に密集して起毛された側やホックの凹部を有する側を用いる等により結合する。なお、面ファスナーのフック面とループ面との区別のないタイプ等も存在するため、これら２つの部材が同一形状であるものを使用することができる。当該結合部材の２つの部材をそれぞれ着物少なくとも２箇所以上にとりつけ、これらの部材を結合させることによって着物を簡単に着付けることを可能とする。本実施形態の結合部としては、結合第１部材としてフック部、結合第２部材としてフック保持部の２つの部材を用いて、この結合部を着物１の略腰部（前述のおはしょり取付部）の長手方法のライン上付近２カ所に設けた。図３に示すように、着物１の前記ベルト状部材３の右前身頃部２ｄ側の端部には第１のフック部３ａを設ける。併せて、当該ベルト状部材３の他方端部には第１のフック部３ａを保持するための第１のフック保持部３ｂを設ける（３ａと３ｂを併せて第１の結合部）。当該第１のフック保持部３ｂはベルト状部材３の端部を着物１の内側に引き出し、その端部を折り返して輪っか状として着物１に縫い付けることにより形成する（図２に図示する）。また、左前身頃部２ａ側にも同様に第２のフック部３ｃを設ける。当該３ｃはベルト状部材３と同じ素材を用いた伸縮部材３ｅと結合することにより作成する。伸縮部材３ｅの長さは特に限定するものではないが、着物を美しく着るといった観点から１〜３ｃｍであることが好ましい。伸縮部材３ｅの上端部が前述のおはしょり位置決め部４に沿う状態で左前身頃部２ａに設けた衿先部６に縫着し、伸縮部材３ｅの幅方向の長さだけ衿先部６を折り返して当該衿先部６と伸縮部材３ｅを併せて縫着する（図３に示す）。また、第２のフック保持部３ｄもベルト状部材３と同じ伸縮性のある素材を用いており、これを折り返して幅が約１ｃｍ程度の輪っか状とし、当該第２のフック保持部３ｄの上端部が前述のおはしょり位置決め部４に沿う状態で、着物１の表側の右後身頃部２ｃと右前身頃２ｄの境界付近に縫着させることにより形成する（３ｃと３ｄ併せて第２の結合部）。
【００１７】
本実施形態においては、３ａおよび３ｃは耐用年数や取付た際の強度の観点から金属製のものを用いたが、それに限定されるものではなく樹脂製のものを用いても良い。また、ベルト状部材３やの素材は綿や布等でも適用できるため特に伸縮性素材の限定はないが、少なくとも一部がゴム等の弾性体の伸縮性素材を用いることにより、着付けの際に様々な体形にも適応し易く、しっかりとしたと着付けができるといった観点から好適である。さらに、本実施形態のようにベルト状部材３にすべて伸縮性の素材を用いることにより、着物を着た際にフィット感が得られる点でより好ましい。
【００１８】
本実施形態においては２つの結合部として、３ａ〜３ｄのフック部とフック部保持部を用いたが、結合方法としては、面ファスナーやカギホックのような金具等で連結してもよい。この際に、面ファスナーやカギホックなどを直接着物１に縫着しても良いし、本実施形態と同様にベルト状部材３と同じ伸縮性の素材を用いた部材を介して着物に縫着しても良い。また、結合部材を取り付ける場所としては特に限定されるものではないが、本実施形態で取り付けた場所が、着物を簡単に美しく着るといった観点で好ましい。
【００１９】
おはしょり形成部２を着物１に形成する際には、当該おはしょり形成部２の裾側の端のラインが着物を着た際の裾のラインと略平行となる状態で形成することにより、着物を着付ける際に、おはしょりを綺麗に処理することができ美しい着姿を実現できることが可能となる。  
【００２０】
図４は本実施形態の着物の着付け方を説明するものである。まず、着物を着付ける前に、必要に応じて長襦袢や半襦袢、市販されている人形衿・伊達衿等を装着する。その後、両袖に腕を通して着物を羽織り、右前身頃部２ｄに設けられた衿先部６に形成した第１のフック部３ａを右手で持ち右前身頃部２ｄが体にフィットするように体の左側に引き寄せ、第１のフック保持部３ｂに第１のフック部を結合する（図４（ａ））。このとき、おはしょり位置決め部４が、体の略腰部に着物を着た際に地面と略平行になるように着付ける。なお、右前身頃部２ｄにはおはしょり形成部２を設けておらず開放されているため、本来おはしょりとして形成されるべき着物生地が余った状態となっている。従って、この余った生地を右前身頃部２ｄの内側に手を入れ、おはしょり位置決め部４に手を這わせるようにしておはしょり位置決め部４の上から被せるように生地を整える。この整えた余った生地がおはしょりの一部となるため、本実施形態の構成により自然と右前身頃部２ｄのおはしょり部分を綺麗に実現することが可能となる。また、衿元を長襦袢の襟等と一緒に、右前身頃部２ｄの裾が地面と略平行になるように整えることにより、美しい着姿を実現することが可能となる。
【００２１】
次に左前身頃部２ａに設けられた衿先部６に形成した第２のフック部３ｃを左手で持ち、左前身頃部２ａが体にフィットするように体の右側に引き寄せ、このとき体の右側面にある第２のフック保持部３ｄに第２のフック部３ｃを結合する（図４（ｂ））。このときも同様に、ステッチ４が、体の略腰部に着物を着た際に地面と略平行になるように着付ける。
【００２２】
２つの結合部材（フック部とフック保持部）を結合したあと、着物１のおはしょり形成部２が背中側に形成されているため、帯を付けた際におはしょりとして綺麗に見た目を整える（図４（ｃ））。次に、左右前身頃のおはしょりに該当する箇所の懐に手を入れておはしょり形成部２と同様に見た目を整える（図４（ｄ））。この整えた余った生地がおはしょりの一部となるため、自然と左前身頃部２ａのおはしょり部分を綺麗に実現することが可能となる。さらに、衿元を長襦袢の襟等と一緒に、左前身頃部２ａの裾が地面と略平行になるように整えることにより、美しい着姿を実現することが可能となる（図４（ｅ））。
【００２３】
この様に、本実施形態によれば２つの結合部を繋げる２つのステップを実行し、一定の手順で着物を整えるだけで、基本的な状態で着物を簡単に綺麗に身に着けることが可能となる。この後は、本実施形態のように着物を着込んだ後に帯を締めて、細かい身だしなみを整えることによって着物を着上げる。図５は、本実施形態の着物を着た状態を示すものである。ベルト状部材３の縫着跡等は帯の下に隠すことができ、衿先部６やおはしょり形成部２により形成されたおはしょりの下部分が帯の下側に出ているので、衿元が乱れた場合や着崩れを起こした場合でも、この衿先部６やおはしょりの下部分を引っ張ることにより容易に修正することも可能となる。  なお、本実施形態の着物の着付け方は一つの例であって、本発明の和服の着付け方を何ら限定するものではない。
【００２４】
本実施形態の着物の着姿は、おはしょり２が帯の下に綺麗に形成され、また、長襦袢等の衿と着物の衿がしっかり締め付けられ衿周りの美しさを実現できる。また、本実施形態のおはしょり構造により体形に合わせてしっかりとした着付けをすることができ、簡単に着崩れしない着付けができる。このように、本実施形態の着物は本格的な着物と同様に美しい着姿を実現できる。さらに、着崩れしやすい襟元を美しく襟抜を実現することも可能となる。  
【００２５】
本発明は、上記実施の形態の開示範囲に限定されるものではなく、上記実施の形態で示した構成と実質的に同一の構成、同一の作用効果を奏する構成又は同一の目的を達成することができる構成で置き換えてもよい。例えば、本発明の和服は着物に限定されず、浴衣等のおはしょりが設けられる和服であれば広く適用することができる。
【符号の説明】
【００２６】
１    着物
２    おはしょり形成部
２ａ  着物の左前身頃部
２ｂ  着物の左後身頃部
２ｃ  着物の右後身頃部
２ｄ  着物の右前身頃部
３    ベルト状部材
３ａ  第１のフック部
３ｂ  第１のフック保持部
３ｃ  第２のフック部
３ｄ  第２のフック保持部
３ｅ  伸縮部材
４    おはしょり位置決め部
５    おはしょり
６    衿先部
７    共衿
８    長襦袢の襟
９    身八つ口
１０  帯
【要約】      （修正有）【課題】本発明は誰でも簡単に容易な作業で、一人でも本格的な着物と同様に、おはしょりも設けて美しく着ることができる簡単着物を提供する。【解決手段】左前身頃部と左後身頃部と右後身頃部と右前身頃部とを有する和服であって、当該左後身頃部および右後身頃部に和服を着た際の略腰部におはしょり形成部を設け、前記左前身頃部と右前身頃部にはおはしょり形成部を設けないこと、を特徴とする和服。【選択図】図１【図１】
0006761617.tif 000002
【図２】
0006761617.tif 000003
【図３】
0006761617.tif 000004
【図４】
0006761617.tif 000005
【図５】
0006761617.tif 000006